Podtech/llm-jp-corpus-v4-ja_patent huggingface dataset:
(57)【要約】      【課題】  （１）流体の慣性、すなわち直線軌道に従おうとする運動物体の傾向による遠心力効果を利用し、高密度の流れを利用する回転装置の開発。  （２）河川の滝に生ずる水流や地熱により生ずる水蒸気等の大量高圧流体エネルギーを回転エネルギーに変換できる小型回転装置の開発。      【解決手段】  前記課題を解決するため、十字導管回転装置を開発した。この装置は、流体を導管に流し、遠心力効果を利用して、回転力をとりだす手段である。  (１)十字導管回転装置は導流管１１に軸受管８を十字型に設置し、導流管１１の内部にある制流台７の直後に羽根５を設置した構成からなる回転装置。  (２)大量流体のエネルギーを大型装置でなく小型の十字導管回転装置の軸受管８を使用し、複数の十字導管回転装置を軸受管８はソケツト、回転軸４はジョイントを介して連結する構成の回転装置。この装置は滝で横一列連合設置が可能である。    【選択図】        図１
2006138204.tif 000002
【特許請求の範囲】
【請求項１】
（１）回転室１の上に流入管２を、その下に排出管３を設置し、流入管（２）と回転室（１）の境界で流入管内に制流台７を設置した構成からなる十字導管回転装置。
（２）回転室１内の両側面の中央に軸受６を介して、回転軸４を通した構成からなる十字導管回転装置。
（３）回転軸４に羽根固定円盤１０を固着し、半円形の羽根５を複数個を羽根固定円盤１０の両側に設置し、回転室１内で回転自由とした構成から成る十字導管回転装置。
（４）回転室１は図１に示すように流入管２と排出管３からなる導流管１１の中に設置されて、回転室１の両側面の中央に軸受６を介して、回転軸４を通した軸受管８を植設した構成から成る十字導管回転装置。
（５）軸受管８は導流管１１より小さく、導流管１１に左右から入り込み、軸受管８の内面は蜜ぺいし中心に軸受６を設置し、左右の軸受管８の間が回転室１とした構成から成る十字導管回転装置。
以上、（１）、（２）、（３）、（４）、（５）の構成から成る装置を特徴とする十字導管回転装置。
【発明の詳細な説明】
【技術分野】
【０００１】
本発明は、高圧流体を十字導管に流す場合に、十字導管に発生する慣性力、すなわち直線軌道に従おうとする運動物体（流体）、の傾向により遠心力効果で、高密度の流れが生じ、そこに存在する羽根５により高効率の回転機械として、発電・動力機械の提供を行うものである。
【背景技術】
【０００２】
従来この種の技術は、直線導流管でプロペラ羽根を用いたものが主で、十字導管を用いた回転装置は未開発の分野である。
【発明の開示】
【発明が解決しようとする課題】
【０００３】
十字導管回転装置は、構造が簡単で横軸連結が容易で大量流体ノエネルギー変換が可能で、製造費も安く、高出力のエネルギーを回転機械として提供することにある。
【課題を解決するための手段】
【０００４】
上記目的を達成するための手段として、この発明は図１に示すように、十字導管を使用し、流入管２と排出管３を直線方向に接続し、回転軸４羽根５をとりいれた回転室１を設置した回転装置。
【発明の効果】
【０００５】
十字導管回転装置は液体・気体・水蒸気等いずれの流体に使用可能である。
【発明を実施するための最良の形態】
【０００６】
水道水利用の場合は水道管に連結し、河川の滝を利用する場合は滝の下に導流管に連結し、高圧流体利用の場合は高圧流体発生装置と連結して使用することが最良の形態。
【実施例１】
【０００７】
発明の実施形態を実施例にもとづき、図面を参照して説明すると、図１は十字導管回転装置の正断面図である。図２はA―A矢視断面図である。図３は羽根５、回転軸４、羽根固定円盤１０の構成斜視図である。図２において流入管２より制流台７を通過した流体は回転室１に流入し、流体は慣性力により高密度の流体となり排出管３より回転室１の外へ流出する。この流れにより羽根５を押動し回転軸４が回転する。
【０００８】
上述のように、回転室１において、流体のエネルギーが回転力に変換され回転装置として利用される。
【産業上の利用可能性】
【０００９】
本発明は以上説明したように、構成されているので以下に記載されるような効果を奏する。
【図面の簡単な説明】
【００１０】
水道水を初め、すべての流体に適応できる装置で河川でのポンプ作用や発電、水蒸気を利用した蒸気機関等多目的に利用可能な装置である。
【図１】十字導管回転装置の正断面図である。
【図２】図１のＡ−Ａ矢視断面図である。
【図３】羽根５回転軸４羽根固定円盤１０の構成斜視図である。
【図４】導流管１１軸受管８回転軸４の構成斜視図である。
【符号の説明】
【００１１】
１  回転室
２  流入管
３  排出管
４  回転軸
５  羽根
６  軸受    
７  制流台
８  軸受管
９  軸受室
１０  羽根固定円盤
１１  導流管
【図１】
2006138204.tif 000003
【図２】
2006138204.tif 000004
【図３】
2006138204.tif 000005
【図４】
2006138204.tif 000006
(57)【要約】      （修正有）【課題】地球引力を利用して回転動力を得て、電気エネルギーを創出することが出来る回転動力機を提供する。【解決手段】基盤１に支板２を放射状に多数個を等間隔に配置し、支板の根基は基盤に埋設し、中身にはスプリングをまとわせ、先端には重り体をはめこむ。これらはスプリングを介して基盤に連っている。当初手起動による回転で右側では重り体が右端に延び引力加重し、左側ではスプリング縮少重り体が内方に引き戻され左右重り体の引力均衡がくずれることで基盤は永続右回転する。【選択図】図１
2006138302.tif 000002
【特許請求の範囲】
【請求項１】
基盤（１）に支板（２）を放射状に多数個を等間隔に配置し、これの基部は基盤に埋設し中身にスプリングをまとわせ、先端には重り体（３）をはめこむ。これらはスプリング（２）を介して基盤に連っている。当初手起動による回転で、右側においては回転力でスプリングが延び重り体は右端に至り引力は加重し、左側は引力が減殺されることで左右引力均衡がくずれることで基盤は永続回転する回転動力機。
【発明の詳細な説明】
【技術分野】
【０００１】  本発明は、発電エネルギー源を地球の引力を利用して創出しようとするものである。［背景技術］【０００２】  従来の発電は、水力・火力・原子力を主力としてきたが、近年ではその環境に及ぼす悪影響から、クリーンエネルギー源として風力・太陽光・地熱等が見直され、次第にその力量が加速しつつある。［発明の開示］［発明が解決しようとする課題］【０００３】  上述のような観点から本発明は、地球の引力をエネルギー源として利用することによって最もクリーンにして低コストの発電を得ようとするものである。［課題を解決するための手段］【０００４】  本発明は、基盤（１）に支軸（２）の１部を埋設しその先部にスプリングをまとわせ、先端には重り体（２）をはめこむ。これらを軸心から放射状に多数個を等間隔に配置し、当初は手起動による回転で右側においては縮少したスプリングが放物慣性と引力とにより重り体が右及び下方にとび出そうとし、左側では反対にスプリングが縮少し左右重り体の引力均衡がくずれて基盤は継続回転する。［発明の効果］【０００５】  風力・太陽光発電等と同じくクリーン発電エネルギー源として、その原資はいつでも・どこでも無料無限の地球引力を利用することにより、設備費・維持費等にも多くを要しない有益発明を提供する。［発明を実施するための最良の形態］【０００６】  基盤の回転により、右側重り体は回転力で支棒（２）先端に移動し引力が加重し、左側では、支棒が左上昇するにつれて放物慣性・引力は減殺され、重り体は引き戻され左右重り体の引力均衡はくずれ基盤は右継続回転する。［産業上の利用可能性］【０００７】  近年大気汚染の浄化が叫ばれ、新にクリーンエネルギー源として風力・太陽光発電等が世の認知を得て次第に地歩を固めつつある。これらの後塵につき従いその一翼に位置することができる。本発明は無料・無限の地球引力を無理なく動力に転化し、発電エネルギー源として最もクリーンかつ低コストの産業上極めて有益な発明を提供する。【０００８】  本発明は単体では大きな回転力は期待できない。産業上期待される強回転力を得るためには、本回転機多数個を軸心に連結し、またこれを大型化・重量化あるいは磁石の吸引・反発の磁性を利用するなど加力方途に加えて間断なき稼動で得た余剰電気をバッテリー蓄積し、究極として、その電気をベルト利用で本回転機に用いることで引力を援用し自給自足態勢をつくりあげるものとする。
【図面の簡単な説明】
【０００９】
【図１】本発明の側面図
【符号の説明】
【００１０】１．基盤２．支軸３．重り体４．スプリング５．軸心
【図１】
2006138302.tif 000003
(57)【要約】      （修正有）【課題】地球引力を利用して電気を創出する。【解決手段】円盤体１の側面に、支板２・重り体３を１対とする多数個を放射状に等間隔に配置し、支板は固定し、重り体は基部は支軸６で、胴体は支棒４及び留軸７と８で支持し、みぞ孔５で左右に遊動する。当初手動による円盤体の回転で右側では重り体がその自重で下方に落ちると共にその下圧で支棒５を外方に押し倒し重り体は右に突き出される。左側では、回転で重り体が左上昇するにつれてその自重で重り体が下落するにつれて支棒もつれ下がり重り体を内方に引き戻す。このように円盤体の回転で引力が右側に重く左側は減殺されることにより左右引力の均衡がくずれ円盤体は継続回転する。【選択図】図１
2006138301.tif 000002
【特許請求の範囲】
【請求項１】
円盤体（１）の側面に、支板（２）・重り体（３）を１対とする多数個を放射状に等間隔に配置し、支板（２）は円盤体側面に固定し、重り体は基部は支軸（６）で、胴体は、支棒（４）・留軸（７）（８）で支持し、みぞ孔（５）で左右に遊動する。円盤体の回転で右側においては重り体が自重にて下方に落ちると同時に支棒（５）を右に押し倒し、それにより重り体は右方に突き出される。左側では回転で重り体が左上昇するにつれてその自重で重り体が下方に落ちると共に支棒で重り体を内方に引き戻す。このように重り体の左右引力の均衡をくずして円盤体を継続回転させる装置を円盤体両面に双備してなる回転動力機
【発明の詳細な説明】
【技術分野】
【０００１】  本発明は、地球の無限・無料の引力を利用して発電エネルギー源を創出しようとするものである。［技術背景］【０００２】  従来の発電は、火力・水力・原子力を主力としてきたが、近年に至りその環境に及ぼす悪影響からクリーンエネルギー源として風力・太陽光・地熱等が旭光に浴しつつある。［発明の開示］［発明が解決しようとする課題］【０００３】  上述のような観点から本発明は、地球の引力をエネルギー源として利用することによって最もクリーンにして低コストの発電を得ようとするものである。［課題を解決するための手段］【０００４】  本発明は、円盤体（１）の回転をはかるために、支板（１）・重り体（２）の１対を円盤体側面に多数個を等間隔に配置し、円盤体の回転により、重り体の位置が左右に動き、重り体の左右引力均衡がくずれることにより円盤体は継続回転する。［発明の効果］【０００５】  風力・太陽光発電等と同じくクリーン発電エネルギー源として、その原資はいつでも、どこでも無料・無限の地球引力を利用することにより、設備費・維持費にも多くを要しない有益発明を提供する。［発明を実施するための最良の形態］【０００６】  円盤体側面に支板（２）・重り体（３）の１対を放射状に配置し、支板は固定し、重り体は支軸（６）及び留軸（７）で支持し、円盤体の回転により左右に遊動するものとする【０００７】  円盤体の回転により、右側では重り体がその自重により次第に下方に落ちるにつれて、その下圧により支棒（４）を押し倒し同時に重り体を外方に突き出す。【０００８】  左側においては、回転により重り体が左に上昇するにつれその自重により次第に下方に落ちると同時に支棒（４）を連れ下げ、重り体を内方に引き戻す。このようにして重り体はみぞ孔（５）で左右に遊動し、右は引力加重、左は引力減殺され左右引力均衡がくずれることで円盤体は継続回転する。［産業上の利用可能性］【０００９】  近年大気汚染の浄化が叫ばれ、新にクリーンエネルギー源として風力・太陽光発電等が世の認知を得て次第に地歩を固めつつある。これらの後麈を浴しつつ無料・無限の引力を無理なく本発明は動力に転化し、発電エネルギー源として最もクリーンにして低コストの有益発明として産業上大きく貢献できる。【００１０】  本発明は、単体では大きな回転力は期待できい。産業上期待される回転力を得るためには、本回転機多数個を軸心に連結し、またこれを大型化・重量化あるいは磁石の吸引・反発の磁性を利用するなど加力方途に加えて間断なき稼動で得た剰余電気をバッテリー蓄積し、究極として、その電気をベルト利用にて本回転機に用いることで引力を援用し、自給自足態勢を作りあげるものとする。
【図面の簡単な説明】
【００１１】
【図１】本発明の概略側面図
【図２】本発明の要部拡大図
【符号の説明】
【００１２】１．円盤体２．支板３．重り体４．支棒５．みぞ孔６．支軸７．留軸８．留軸９．心軸
【図１】
2006138301.tif 000003
【図２】
2006138301.tif 000004
【手続補正書】
【提出日】平成16年12月17日(2004.12.17)
【手続補正１】
【補正対象書類名】図面
【補正対象項目名】図１
【補正方法】変更
【補正の内容】
【図１】
2006138301.tif 000005
(57)【要約】      （修正有）【課題】風力発電機が大きい台風などによりプロペラの損傷とかプロペラ軸部の損傷などが起きるのを防止する。【解決手段】小さい風力発電機から大きい風力発電機まではば広くプロペラのワイヤ補強をしたもので、プロペラの安全度をますための装置です。【選択図】図２
2006138303.tif 000002
【特許請求の範囲】
【請求項１】
風力発電機のプロペラのたわみ及び損傷を防止するものでプロペラのたわみをへらして、その分をプロペラの回転力を大きくするための物で通常のプロペラより長さを長くできます。又今回はプロペラの枚数を２枚〜３０枚の範囲の内例として３枚のプロペラをあらわしたものです。
【発明の詳細な説明】
【発明の詳細な説明】
発明が解決しようとする課題現在の風力発電機は大きい台風などによりプロペラの損傷とかプロペラ軸部の損傷などが起きます。プロペラのワイヤの張り角度及び長さの比率は、図３に例として長さをあらわしたものでプロペラの長さを１０ｍでプロペラ回転軸用支柱の長さを３ｍとしてワイヤの長さの比率を約３／１０としたものです。〔作用〕プロペラ全部の枚数の先たん▲９▼と▲１０▼のワイヤ補強ワイヤ取付金具にワイヤを張り補強した物で▲７▼のプロペラ回転軸用支柱の長さを通常の物より長くしています。
【図面の簡単な説明】
【図１】正面図プロペラ全体が風の方向にむいてプロペラがまわり発電機がまわっている状態
【図２】各部の符号図
【図３】側面図
【符号の説明】
▲１▼地ばん、きそ▲２▼支柱▲３▼回転支柱用ベアリング▲４▼発電機▲５▼プロペラ▲６▼プロペラ補強用ワイヤ▲７▼プロペラ回転軸用支柱▲８▼プロペラ回転軸用ベアリング▲９▼プロペラ補強ワイヤ取付金具▲１０▼プロペラ補強ワイヤ取付金具
【図１】
2006138303.tif 000003
【図２】
2006138303.tif 000004
【図３】
2006138303.tif 000005
(57)【要約】【課題】  口臭は口からはき出される息の不快なにおい。歯や口腔の疾患に由来するものが多いが、ほかに糖尿病や食道・胃・肝臓などの疾患（潰瘍・癌など）も原因となる。【解決手段】  この原因となる疾患は、口臭がもつそれぞれ特有の臭気によって微妙に異なる。この異臭を、折り畳んである多角形の筒状を立体的に起こして、多角筒とし、すでに両側面に切り込みを入れた隙間に通気性のある帯状の検出器を貫通させ、連続的に移動させ或いは一こまづつに分割して挿入し、一こまづつに連番を付け各々それぞれが異なった特質を有する検出器用試料によって、口臭による変化を検出するための口臭測定器に用いる折り畳み自在な紙製検出器具。【選択図】      図３
2006138828.tif 000002
【特許請求の範囲】
【請求項１】
折り畳んである多角形の筒状（１）を立体的に起こして、多角筒（２）とし、すでに両側面に切り込みを入れた隙間（３）に通気性のある帯状の検出器（４）を貫通させ、連続的に移動させ或いは一こまづつ（５）に分割して挿入し、口臭を検出するための口臭測定器に用いる折り畳み自在な紙製検出器具。
【請求項２】
通気性のある帯状の検出器（４）は、連続的に移動させ或いは一こまづつ（５）に分割して挿入し、一こまづつ（５）に連番を付け各々それぞれが異なった特質を有する検出器用試料（６）によって、口臭による変化を検出するための口臭測定器に用いる通気性のある帯状の検出器。
【発明の詳細な説明】
【技術分野】
【０００１】  本発明は、口臭測定器に用いる折り畳み自在な紙製検出器具に関する。
【背景の技術】
【０００２】  従来の口臭を測るガス測定器の大きさは、一足分の靴の箱位で、重量は２〜５ｋｇであり電源を必要とし、価格は４０〜８０万と高価格である。
（例えば、非特許文献１参照）
これらの測定器に対して簡昜な口臭測定器の一例として、おけの形をした二つの槽、始めのおけ透明攪拌槽と、接ぎのおけ吸収槽を接合して、始めのおけ槽を回転させて、回転酢酸鉛の変色度により、測定する。
（例えば、特許文献１参照）
【０００３】
【非特許文献１】  インタースキャン社  商品名  ハリメーター（インターネット  Ｇｏｏｇｌｅ  口臭測定器  検索引用）
【特許文献１】  特許公開平１１−３１６２２３号  発明名称  簡昜口臭測定器
【発明の開示】
【発明が解決しようとする課題】
【０００４】  口臭は口からはき出される息の不快なにおい。歯や口腔の疾患に由来するものが多いが、ほかに糖尿病や食道・胃・肝臓などの疾患（潰瘍・癌など）も原因となる。
【課題を解決するための手段】
【０００５】  この原因となる疾患は、口臭がもつそれぞれ特有の臭気によって微妙に異なる。この異臭を、折り畳んである多角形の筒状を立体的に起こして、多角筒とし、すでに両側面に切り込みを入れた隙間に通気性のある帯状の検出器を貫通させ、連続的に移動させ或いは一こまづつに分割して挿入し、口臭を検出するための口臭測定器に用いる折り畳み自在な紙製検出器具。【０００６】  通気性のある帯状の検出器は、連続的に移動させ或いは一こまづつに分割して挿入し、一こまづつに連番を付け各々それぞれが透明か有色で、固形かゼリー状か粒状で、乾式或いは湿式などその他の異なった特質を有する検出器用試料によって、口臭による変化を検出するための口臭測定器に用いる通気性のある帯状の検出器。【０００７】  これら検出器の一こま各々それぞれの変化は、単に口腔の臭気のみならず、内臓疾患にもおよび、専門職の精密検査による早期発見、広くはインターネットによる疾患の兆候をも診断可能にする。
【発明の効果】
【０００８】  本発明は、折り畳んであるからより薄く、紙製であるからより軽く、携帯に便利で時と、所を選ばない、また、使い捨てのため他の感染症も完全に防止でき極めて清潔であり衛生的である。【０００９】  合成樹脂（プラスチック）を使用すれば、簡単に量産が可能、従って安価にできるが環境汚染を配慮して、敢えて出来うるかぎり紙製とした。【００１０】  口臭は、口腔・内部疾患のみならず、精神的要因による対人恐怖症や自閉症に陥る原因ともなるので、もし自分自身で瞬時に、しかも簡単に検出できれば、一時的には口臭清掃芳香剤の投与で凌げる。
【発明を実施するための最良の形態】
【００１１】
【実施例】
【００１２】  本発明の実施の形態を図１〜図４に基づいて説明する。【００１３】  図１は、折り畳んである多角形の筒状１を【００１４】  図２は、立体的に起こして、多角筒２とし、【００１５】  図３は、すでに両側面に切り込みを入れた隙間３に通気性のある帯状の検出器４を貫通させ、連続的に移動させ或いは一こまづつ５に分割して挿入し、口臭を検出するための口臭測定器に用いる折り畳み自在な紙製検出器具。【００１６】  図４は、通気性のある帯状の検出器４は、連続的に移動させ或いは一こまづつ５に分割して挿入し、一こまづつ５に連番を付け各々それぞれが異なった特質を有する検出器用試料６によって、口臭による変化を検出するための口臭測定器に用いる通気性のある帯状の検出器。
【産業上の利用可能性】
【００１７】  先に、背景の技術で述べたとおり、インターネットの項で口臭を検索すれば、すでに実用化も進んでおり、大型或いは簡昜型と、医療の最先端技術として注目されております。
従って、本発明である折り畳み自在な紙製検出器具を口臭測定器に用いれば、極めて簡便であることは言うまでもありません。
【図面の簡単な説明】
【００１８】
【図１】折り畳んである多角形の筒状の斜視図
【図２】立体的に起こした多角筒の斜視図
【図３】両側面の隙間に帯状の検出器を貫通させた、折り畳み自在な紙製検出器具の斜視図
【図４】帯状の検出器と一こまづつの検出器と、検出用試料の斜視図
【符号の説明】
【００１９】１  折り畳んである多角形の筒状
２  立体的に起こした多角筒
３  切り込みを入れた隙間
４  帯状の検出器を貫通させ
５  一こまづつの検出器
６  検出器用試料
【図１】
2006138828.tif 000003
【図２】
2006138828.tif 000004
【図３】
2006138828.tif 000005
【図４】
2006138828.tif 000006
(57)【要約】    【課題】  防水機能の備わった、ビルトインタイプのブラシレスレゾルバ等ブラシレスタイプ回転検出器を提供すること。    【解決手段】  ブラシレスタイプ回転検出器１０は、ステータとロータに分離できるビルトインタイプのものであって、ステータトランス１１ならびにステータ鉄心１５を備えてなるステータの内部、または、ロータトランス１３ならびにロータ鉄心１６を備えてなるロータの内部の、いずれか一方または双方が樹脂１２、または１４でモールドされていることを、主たる構成とする。かかる構成により、防水機能が備えられる。【選択図】  図１
2006138807.tif 000002
【特許請求の範囲】
【請求項１】
ステータとロータに分離できるビルトインタイプのブラシレスレタイプ回転検出器において、ステータ内部またはロータ内部の少なくとも一方が樹脂でモールドされていることを特徴とする、ブラシレスレタイプ回転検出器。
【請求項２】
１相励磁／２相出力、または２相励磁／１相出力、または２相励磁／２相出力の１項のブラシレスレゾルバであることを特徴とする、請求項１に記載のブラシレスレタイプ回転検出器。
【発明の詳細な説明】
【技術分野】
【０００１】
本発明はブラシレスレタイプ回転検出器に係り、特に、ビルトインタイプにおいて防水機能を備えたブラシレスレタイプ回転検出器に関する。
【背景技術】
【０００２】
ブラシレスレゾルバは、ステータとロータが一体になった構造のタイプ(軸付きタイプと称する)と、ステータとロータに分離可能な構造を有するタイプ(ビルトインタイプと称する)に分類できる。
図２は、軸付きタイプのブラシレスレゾルバの構成を示す端面図（Ａ）および側面図（Ｂ）である。また、
図３は、従来のビルトインタイプのブラシレスレゾルバの構成を示す側面方向からの半断面図（Ａ）および回転トランス側から見た端面図（Ｂ）である。従来のビルトインタイプのブラシレスレゾルバ開示例としては、特許文献１がある。
【０００３】
【特許文献１】特開２００３−７５１９６号公報。「角度検出器」。
【発明の開示】
【発明が解決しようとする課題】
【０００４】
しかし、軸付きタイプでは防水構造が従来から備えられていたが、ビルトインタイプでは防水機能を有するものがないという問題点があった。
【０００５】
本発明が解決しようとする課題は、上記従来技術の問題点を除き、防水機能の備わった、ビルトインタイプのブラシレスレゾルバ等ブラシレスタイプ回転検出器を提供することである。
【課題を解決するための手段】
【０００６】
本願発明者は上記課題について検討した結果、樹脂モールド技術により上記課題の解決が可能であることを見出し、本発明に至った。すなわち、上記課題を解決するための手段として本願で特許請求される発明は、以下のとおりである。
【０００７】
（１）  ステータとロータに分離できるビルトインタイプのブラシレスレタイプ回転検出器において、ステータ内部またはロータ内部の少なくとも一方が樹脂でモールドされていることを特徴とする、ブラシレスレタイプ回転検出器。
（２）  １相励磁／２相出力、または２相励磁／１相出力、または２相励磁／２相出力の１項のブラシレスレゾルバであることを特徴とする、（１）に記載のブラシレスレタイプ回転検出器。
【発明の効果】
【０００８】
本発明のブラシレスレタイプ回転検出器は上述のように構成されるため、これによれば、防水機能を備えたビルトインタイプを実現することができる。防水構造は、ステータ、ロータそれぞれにおいて別個に備えられるため、一方の防水機能が万が一損なわれることがあっても、それによって他方が影響を受けることがない。
【発明を実施するための最良の形態】
【０００９】
以下、本発明を図面により詳細に説明する。以下の説明では、ブラシレスタイプ回転検出器としてブラシレスレゾルバを例にあげるが、ブラシレスシンクロにおいても同様の構成・作用効果を有するものである。
図１は、本発明のブラシレス回転検出器の構成例を示す側面方向からの半断面図（Ａ）および回転トランス側から見た端面図（Ｂ）である。図示するように本発明ブラシレスタイプ回転検出器１０は、ステータとロータに分離できるビルトインタイプのものであって、ステータトランス１１ならびにステータ鉄心１５を備えてなるステータの内部、または、ロータトランス１３ならびにロータ鉄心１６を備えてなるロータの内部の、いずれか一方または双方が樹脂１２、または１４でモールドされていることを、主たる構成とする。
【００１０】
樹脂モールドに用いる樹脂としては、エポキシ樹脂等を好適に用いることができるが、他の樹脂でもよく、本発明は樹脂の種類には限定されない。
【００１１】
かかる構成により、本ブラシレスタイプ回転検出器１０では、ステータ、ロータ単体ごとに防水機能が備えられる。
【００１２】
以上説明した本発明のブラシレスタイプ回転検出器は、ブラシレスレゾルバ、ブラシレスシンクロいずれにも適用することができる。レゾルバの場合であれば、１相励磁／２相出力、２相励磁／１相出力、または２相励磁／２相出力いずれの信号処理形式のものにでも適用することができる。
【産業上の利用可能性】
【００１３】
本発明のブラシレスレタイプ回転検出器は上述のように構成されるため、防水機能を備えたビルトインタイプを実現することができる。防水構造は、ステータ、ロータそれぞれにおいて別個に備えられるため、一方の防水機能が万が一損なわれることがあっても、それによって他方が影響を受けることがない。したがって、回転検出器の耐久性等の性能維持・向上がなされ、産業上利用価値が高い発明である。
【図面の簡単な説明】
【００１４】
【図１】本発明のブラシレス回転検出器の構成例を示す側面方向からの半断面図（Ａ）および回転トランス側から見た端面図（Ｂ）である。
【図２】軸付きタイプのブラシレスレゾルバの構成を示す端面図（Ａ）および側面図（Ｂ）である。
【図３】従来のビルトインタイプのブラシレスレゾルバの構成を示す側面方向からの半断面図（Ａ）および回転トランス側から見た端面図（Ｂ）である。
【符号の説明】
【００１５】
１０…ブラシレスタイプ回転検出器（ビルトインタイプ）
１１…ステータトランス
１２、１４…樹脂
１３…ロータトランス
１５…ステータ鉄心
１６…ロータ鉄心
１７…軸
１８…ケース
１９…入出力信号線
３０…軸付きタイプのブラシレスレゾルバ
４０…ビルトインタイプのブラシレスレゾルバ
４１…ステータトランス
４３…ロータトランス
４５…ステータ鉄心
４６…ロータ鉄心
４７…軸
４８…ケース
４９…入出力信号線
【図１】
2006138807.tif 000003
【図２】
2006138807.tif 000004
【図３】
2006138807.tif 000005
(57)【要約】【課題】  乳幼児の食事の、床や椅子、衣服への食べこぼしを解消するために、エプロンとランチマットが一体化され、吸盤が取り付けられたものを提供する。【解決手段】  エプロンの下部を長くとり、そこをランチマットとし、裏側四隅に吸盤２を取り付けることによってテーブルからのズレやよれを防ぎ、腹部とテーブルの隙間からの食べこぼしによる衣服、椅子、床などの汚れを防げるようにする。【選択図】  図１
2006138057.tif 000002
【特許請求の範囲】
【請求項１】
食事用エプロンに、吸盤付きランチマットが一体化されていること。
【発明の詳細な説明】
【技術分野】
【０００１】本発明は、乳幼児の食事の、衣服や床への食べこぼしを防ぐようにしたものである。
【背景技術】
【０００２】従来は、エプロンとランチマットが一体化されたものは無かった。
【発明の開示】
【発明が解決しようとする課題】
【０００３】食べるのが下手な乳幼児は、エプロンを装着しても、テーブルと腹部の隙間から食べ物がこぼれ、衣服や椅子、床を汚してしまうという難点があった。本発明は、この課題を解消するためになされたものである。
【課題を解決するための手段】
【０００４】エプロンの下部を長くしてランチマットとし、四隅に吸盤を取り付け、テーブルに固定させる事によって、テーブルと腹部の隙間からの食べこぼしによる、椅子や床、衣服などへの汚れを防げるようにした。
【発明の効果】
【０００５】食べこぼしの気になる乳幼児の食事を、エプロンとランチマットを一体化させることにより、食べこぼしを防ぎ、心にゆとりができる。しかも、ランチマット部の四隅には吸盤が付けられており、ズレやよれを防ぐことができる。
【実施例１】
【０００６】以下、本発明の実施の形態について説明する。
（イ）．エプロンの下部を長くとり、裏側の四隅に吸盤を取り付ける。
【図面の簡単な説明】
【０００７】
【図１】本発明の正面図である。
【図２】本発明を、下側の真横から見た図である。
【符号の説明】
【０００８】１  エプロン本体
２  吸盤
３  ひも
【図１】
2006138057.tif 000003
【図２】
2006138057.tif 000004
(57)【要約】【課題】  布や紙にろうを浸した造花にさらに着色することにより微妙な色調や風合いをだす。【解決手段】  ろうの上にアクリル樹脂系の定着剤を塗布することにより、この上にアクリル絵具を塗り重ねることが可能となる。【選択図】  図１
2006138051.tif 000002
【特許請求の範囲】
【請求項１】
紙、布等の素材を使用し、溶融したろうの液に浸け、高温のうちにさらに適当な形に成形し、ろうが冷めたらこれに定着剤を塗り、この上に何重にも絵具等で色を塗り重ね、さらにろうでコーティングして造花等の工芸品を作成する方法。
【発明の詳細な説明】
【技術分野】
【０００１】  本発明は、美しい色合いと独特の風合いを持ち、芸術性を高めると同時に、変色や色落ちせず、長期間鑑賞できる造花を製造するための方法である。
【技術背景】
【０００２】  従来の「ろうの花」は、花の形に成形した紙や布で作った造花を溶融したろうに浸しコーティングした物である。
【発明の開示】
【発明が解決しようとする課題】
【０００３】  従前の方法では、ろうの下の紙や布の色や模様を透かすだけで微妙な色調や細かい風合いを表現しにくく、芸術性に乏しかった。又ろうの光沢により現実感も乏しかった。【０００４】  又、ろうは強度が弱く、少しの衝撃等で壊れたり、ひびや線が入ってしまい移動や保管が困難であるという欠点もあった。
【課題を解決しようとする手段】
【０００５】  微妙な色調や風合いを表現するには、ろうの上に着色をすれば解決できる。しかし、ろうは撥水性が極めて強く、水彩油彩等の絵具で着色をしてもうまく定着しない。
【０００６】  ところが、ろうの上にアクリル樹脂系の定着剤を塗布すれば、この上にアクリル絵具を安定して塗ることができる。これによりろうの上に数回から数十回塗り重ねることが可能となり、微妙な色調や風合いを自在に表現できるようになった。
【０００７】  さらに、アクリル絵具を塗り重ねることによって、ろうの強度が増すと同時に柔軟性も生まれ、衝撃等で壊れたりすることも少なく、手で折り曲げても弾力性を有し、変形したりしない。
【０００８】  こうしてできた製品は、更にもう一度ろうでコーティングしてもろうの光沢や質感を感じさせることはない。
【発明を実施するための最良の形態】
【０００９】  以下本発明の実施例を説明する。
１．  紙か布でおおよそ花の形につくる。
２．  これを溶融したろうの液に浸す。
３．  ろうより取りだし、ろうが熱いうちに適当な形に補正する。
４．  ろうが冷めたらアクリル樹脂系の定着剤を全面に塗布する。
５．  アクリル絵具でこれに着色し、塗り重ねる。
６．  花が完成したら最後にもう一度ろうでコーティングする。
こうして微妙な色調と風合いを持つ造花を作成することができる。【００１０】  このように本発明で作成した造花は図１のような層状の構造をなす。
【発明の効果】
【００１１】  本発明で作成した製品は、従前のろうの花はもちろん、既成の布や紙、粘土、陶器、プラスティック、パン等何れの材料による製品に比べても微妙な色調や風合いを表現することができるものとなった。
【図面の簡単な説明】
【００１２】
【図１】  本発明により作成した造花の花弁の断面図である。
【符号の説明】
【００１３】  ▲１▼  紙又は布
▲２▼  および  ▲５▼  ろう
▲３▼  定着剤
▲４▼  アクリル絵具
【図１】
2006138051.tif 000003
(57)【要約】【課題】赤ちゃんを抱く際に赤ちゃんの涎やミルク戻しによる汚れが衣服に付着する心配や抱く人の衣服の繊維素材や装飾で起こる赤ちゃんの肌荒れ傷つけの心配があり、着るものにも気を使っていた。【解決手段】抱く人が当エプロンを使用することによって、抱く人の衣服が汚される心配と抱く人の衣服で起こる赤ちゃんの肌荒れや傷付けを防ぐことが出来るエプロンである。【選択図】図１
2006138052.tif 000002
【特許請求の範囲】
【請求項１】
赤ちゃんを抱く際に抱く人が衣服の上に装着するエプロンで、赤ちゃんの涎れや赤ちゃんの授乳後のげっぷなどで起こるミルク戻しで衣服を汚されないことと、抱く人の衣服に赤ちゃんの肌が直接接触することを防ぐことで衣服の素材に起因する肌荒れ、静電気の影響などを防ぐことが出来、そのことで抱く人の衣服の選択に幅が出来、育児に携わる人がおしゃれを楽しむことが出来るエプロン。
【発明の詳細な説明】
【技術分野】
【０００１】本発明は赤ちゃんと赤ちゃんを抱く人が共に安心してスキンシップできるためのエプロンである。
【背景技術】
【０００２】赤ちゃんを抱っこする人が着けるエプロンである。
【発明の開示】
【発明が解決しようとする課題】
【０００３】従来は赤ちゃんを抱く際にはミニタオルなどを胸に当てていたが、ずれたり、落ちやすく、衣服を汚されることを気にしたり、ミニタオルの落ちるのを気にしなければならなかった。特に母親からの授乳後にげっぷをさせる時や赤ちゃんが眠くてぐずっているときなどにうまく対応できなかった。また赤ちゃんは抱く人の胸に顔をこすり付けてくるので、衣服の繊維素材や装飾によっては赤ちゃんの肌を荒らしたり傷つけたりする原因となっていた。そのことで育児中の人のおしゃれを制限させていた。
【課題を解決するための手段】
【０００４】赤ちゃんを抱く際に抱く人が衣服の上に当エプロンを装着することで、赤ちゃんの涎れや授乳後によく起こるげっぷによるミルク戻しなどで衣服を汚されるのを防ぐことと、また抱く人の身に着けている衣服に赤ちゃんの肌が直接接触することを防ぐことで衣服の繊維素材や装飾によって起こる赤ちゃんの肌荒れ、傷つけなどを防ぐためのエプロンである。エプロンの装着には前身頃と後身頃を腋の下で伸縮性のあるテープなどで繋げることにより、季節を問わずどのような体型の人にも簡易に使用でき、後身頃は着脱を簡単にするために紐、ボタン、マッジックテープなどを使用するエプロンである。
【発明の効果】
【０００５】直接的には赤ちゃんを抱く人の衣服への汚れを防止することであるが、エプロンの素材を天然素材でなおかつ赤ちゃんの肌に優しい柔らかなもので作ることにより、抱く人の衣服の繊維素材、特に化学繊維素材から赤ちゃんの肌を守り、また赤ちゃんが顔などをこすることにより起こる静電気をカットすることが出来るエプロンである。またそれを使用することで抱く人の衣服の選択の幅が出来おしゃれを楽しむことができる。また安心して他の人（母親以外）にも赤ちゃんを抱かせてあげられるエプロンである。
【発明を実施するための最良の形態】
【０００６】エプロンの素材を天然素材とし、抱く人の衣服への汚れの浸透を防ぐための工夫、抱く人の衣服に違和感を与えないようなデザイン（生地、柄、色など）の工夫が必要である。簡単に取り外しが出来、抱く人の肩から胸元が隠れるくらいのものにすることにより、赤ちゃんの横抱きや縦抱きのどちらにも可能となる。また洗濯がし易く、形崩れがし難いデザインの工夫と、実用性はもちろんであるがデザインもおしゃれ感のある工夫を凝らしたエプロンとする。
【図面の簡単な説明】
【０００７】
【図１】「本発明の正面図」
【図２】「本発明の背面図」
【符号の説明】
【０００８】１伸縮テープ
２紐
【図１】
2006138052.tif 000003
【図２】
2006138052.tif 000004
(57)【要約】【課題】爪を長くした使用者でも爪を露出することなく使い易い手袋を提供する。  【解決手段】親指から小指までの５本の指袋２〜６の甲側指先部分を半円形状にカットし、該カット部に伸縮性に優れた爪被覆部７を形成し、この爪被覆部７の伸縮性を利用して指袋２〜６の長さを調整できるようにする。その素材としては伸縮性を有する各種素材を使用することができるが、スパンデックス糸を編成してなる伸縮性素材（例えば、パワーネット）を例示できる。この爪被覆部７が伸びるため、特に、爪を伸ばしている女性でも、指に突っ張り感がなく着用することができる。爪被覆部７は、甲側指先部分に設けるのみならず、掌側も含めて指先全体に形成することもできる。【選択図】  図１
2006138026.tif 000002
【特許請求の範囲】
【請求項１】
指袋の先端に他の部位よりも伸縮性に優れた爪被覆部が形成されたことを特徴とする手袋。
【請求項２】
指袋の甲側指先部分がカットされ、該カット部に伸縮性に優れた爪被覆部が形成されたことを特徴とする手袋。
【請求項３】
ゴルフ用手袋である請求項１又は２に記載の手袋。
【発明の詳細な説明】
【技術分野】
【０００１】
本発明は、ゴルフ用などの手袋に関するものである。
【背景技術】
【０００２】
ゴルフ用手袋において、特に爪を長くした女性用として指袋の先端をカットした手袋が知られている。また、特許文献１には、指袋先端がカットされた釣り用手袋が開示されている。
【特許文献１】登録実用新案第３０１５６１９号公報
【発明の開示】
【発明が解決しようとする課題】
【０００３】
このような指袋の先端をカットした手袋は、指先から爪が見えるのでファッション性もよく、非常に重宝がられているが、指先を露出させたくないという要望もある。指先を露出させない場合には、爪を伸ばしている女性にはゴルフ手袋が使い難いという問題があった。
【０００４】
本発明は、上記に鑑み、爪を長くした使用者でも爪を露出することなく使い易い手袋の提供を目的としている。
【課題を解決するための手段】
【０００５】
上記目的を達成するため、本発明に係る手袋では、指袋の先端に他の部位よりも伸縮性に優れた爪被覆部を形成し、爪被覆部の伸縮性を利用して指袋の長さを調整できるようにしたものである。したがって、特に、爪を伸ばしている女性でも、爪被覆部が伸びるため、指に突っ張り感がなく、着用することができる。
【０００６】
爪被覆部は、指先の全体を伸縮性素材とすることにより構成するか、あるいは甲側指先のみを伸縮性素材で構成するかのいずれかで形成することができる。甲側指先のみを伸縮性素材で構成する場合、指袋の甲側指先部分をカットし、このカット部に伸縮性に優れた爪被覆部を形成する態様が例示できる。
【０００７】
このような手袋は、各種手袋に適用可能であるが、ゴルフ用手袋に適用すれば、ゴルフプレー中に、指先が露出することなく、爪を伸ばしている女性でも違和感なく着用することができる。
【発明の効果】
【０００８】
以上のように、本発明によると、爪被覆部の伸縮性を利用して指袋の長さを調整できるため、特に、爪を伸ばしている女性でも、指に突っ張り感なく着用することができる。
【発明を実施するための最良の形態】
【０００９】
図１は本発明の実施形態であるゴルフ用手袋の甲側の斜視図、図２は指袋先端部の断面図である。図に示すように、本実施形態の手袋１は、親指から小指までの５本の指袋２〜６の甲側指先部分を半円形状にカットし、該カット部に他の部位よりも伸縮性に優れた爪被覆部７を形成し、この爪被覆部７の伸縮性を利用して指袋２〜６の長さを調整できるようにしたものである。
【００１０】
この爪被覆部７は、甲側指先部分で半円形状に形成されている。その素材としては伸縮性を有する各種素材を使用することができるが、スパンデックス糸を編成してなる伸縮性素材（例えば、パワーネット）を例示できる。この爪被覆部７は、本実施形態のように甲側指先部分に設けるのみならず、掌側も含めて指先全体に形成することもできる。
【００１１】
手袋１は、掌部８、甲部１０、指袋２〜６、および甲部側に設けられた係着手段１２とから構成される一般的なものである。また、手袋１の成形は、掌部８および掌側指部が一体となった掌側の裁断片１５と、甲部１０および甲側指部が一体となった甲側の裁断片１６とが縫い合わされて形成される。
【００１２】
また、指部においては、掌側と甲側の裁断片１５，１６の間に伸縮性連結片１７が介在されて縫い合わされて指袋２〜６が形成される。この際、甲側の裁断片１６の指先部分は予めカットされ、このカット部分に爪被覆部７が縫製され、この爪被覆部７を含めて掌側と甲側の裁断片１５，１６が縫い合わされて指袋２〜６が成形される。
【００１３】
なお、連結片１７は、伸縮性を有するものに限らず、各種素材を使用することができる。また、連結片１７を介在させずに掌側および甲側の裁断片１５，１６をそのまま縫い合わせて指袋を形成するようにしてもよい。
【００１４】
また、本実施形態では、親指部１８は、上記裁断片１５，１６とは別体で裁断されたものを縫い合わせて一体化し、これを掌部８および甲部１０に縫製するようにしているが、これに限らず、掌側および甲側の裁断片１５，１６に親指部分も含むようにし、これらを縫い合わせて親指袋を形成するようにしてもよい。
【００１５】
また、係着手段１２は、係着片１２ａと雌側の面ファスナー片１２ｂとから構成され、係着片１２ａが甲部１０に形成されたスリット２０の一側に縫製され、また、雌側の面ファスナー片１２ｂがスリットの他側において甲部側に止着されている。
【００１６】
上記構成の手袋１においては、爪被覆部７の伸縮性を利用して指袋の長さを調整できるようにしているので、特に、爪Ｂを伸ばしている女性でも、爪被覆部７が伸びるため、指Ａに突っ張り感がなく着用することができる。
【００１７】
なお、本発明は、上記実施形態に限定されるものではなく、本発明の範囲内で多くの修正・変更を加えることができるのは勿論である。例えば、上記実施形態ではゴルフ用手袋に本発明を適用した例を示したが、一般用手袋、作業用手袋などにも適用できることは勿論である。
【図面の簡単な説明】
【００１８】
【図１】本発明の実施形態であるゴルフ用手袋の甲側の斜視図
【図２】図１の指袋先端部の断面図
【符号の説明】
【００１９】
Ａ    指
Ｂ    爪
１    手袋
２〜６    指袋
７    爪被覆部
８    掌部
１０    甲部
【図１】
2006138026.tif 000003
【図２】
2006138026.tif 000004
(57)【要約】      （修正有）【課題】電圧降下が小さいアルカリ電池を使用してもフィラメントが切れ難く、長期の使用が出来る点火装置を提供する。【解決手段】フィラメント３の発熱で灯芯２に点火する点火ヒーター１と、電源である乾電池７とを結ぶリード線８の抵抗値を、０．０５０Ω〜０．０８０Ωとしたことで、アルカリ電池の使用でもフィラメント３に作用する電圧は低く抑えられ、このフィラメント３の発熱し過ぎを確実に防止して、短期間に切れる不具合を阻止し、乾電池７の種類に関係なく点火ヒーター１を保護して、長期に渡って良好な点火が行えるようにしたものである。【選択図】      図１
2006138530.tif 000002
【特許請求の範囲】
【請求項１】
フィラメントの発熱で灯芯に点火する点火ヒーターと、電源である乾電池との間の抵抗値を０．０５０Ω〜０．０８０Ωとした事を特徴とする点火装置。
【発明の詳細な説明】
【技術分野】
【０００１】
この発明は、灯芯式の石油ストーブに使用される点火装置に関するものである。
【背景技術】
【０００２】
従来よりこの種のものでは、点火ヒーターと乾電池とは、０．３ｍｍ２（スクエアー）のリード線で、プラス電極側及びマイナス電極側ともに接続されており、その抵抗値は、０．０３５Ω〜０．０４５Ωであった。
【特許文献１】（従来例を示すことが出来ない。）
【発明の開示】
【発明が解決しようとする課題】
【０００３】
ところでこの従来のものでは、乾電池がマンガン電池である為に、負荷がかかると大きく電圧降下するので、何ら問題なかったが、近年アルカリ電池が使用されるようになると、電池内部構造の相違から負荷がかかっても大きな電圧降下がなく、高い電圧が点火ヒーターのフィラメントにかかり、発熱し過ぎて切れやすくなり、短期間にフィラメントが切れて点火不能となる危険性を有するものであった。
【課題を解決するための手段】
【０００４】
この発明はこの点に着目し上記課題を解決するため、特にその構成を、フィラメントの発熱で灯芯に点火する点火ヒーターと、電源である乾電池との間の抵抗値を０．０５０Ω〜０．０８０Ωとしたものである。
【発明の効果】
【０００５】
この発明によれば、点火ヒーターと乾電池とを結ぶリード線の抵抗値を、０．０５０Ω〜０．０８０Ωとしたことで、アルカリ電池の使用でもフィラメントに作用する電圧は低く抑えられ、このフィラメントの発熱過ぎを確実に防止して、短期間に切れる不具合を阻止し、乾電池の種類に関係なく点火ヒーターを保護して、長期に渡って良好な点火が行えるようにしたものである。
【発明を実施するための最良の形態】
【０００６】
次にこの発明に係る点火装置を図面に示された一実施形態で説明する。
１は上下動自在の灯芯２に点火する点火ヒーターで、先端には発熱するフィラメント３を備え保持ケース４内に収納されている。
【０００７】
５は保持ケース４の接点と固定されている接点とで構成された点火スイッチで、保持ケース４の点火方向への移動でこの点火スイッチ５は閉成され、点火後の元の位置への復帰で開成されるものである。
【０００８】
６は単１形の乾電池７を２本直列（３Ｖ）に収納する合成樹脂製の電池ケースで、該電池ケース６と点火ヒーター１との間を、０．２ｍｍ２（スクエアー）の径で、プラス側は３５０ｍｍ〜４０８ｍｍの長さで、マイナス側は２９５ｍｍ〜３７５ｍｍの長さのリード線８が接続しており、このリード線８のプラス側とマイナス側を合わせた抵抗値が、０．０５０Ω〜０．０８０Ωになるように設定しているものである。
【０００９】
次にこの一実施形態の作動について説明する。
今燃芯２に点火する為に、点火ヒーター１を灯芯２に近づければ、点火スイッチ５が閉成されて２本の乾電池７から点火ヒーター１に通電れるが、この点火ヒーター１と乾電池７間のリード線８の抵抗値が、０．０５０Ω〜０．０８０Ωであるので、従来と比べて電圧が低くなり、特に電圧降下が小さいアルカリ電池でも、電圧が高過ぎてフィラメント３が発熱し過ぎて短期間に切れることがないものである。
【００１０】
更にアルカリ電池で、リード線８の太さを変えて抵抗値を変化させての試験結果を下記の各表にまとめたものであり、各表はリード線８の抵抗値を０．０４９Ω以下とした点火装置と、この発明の０．０５０Ω〜０．０８０Ωとした点火装置と、０．０８１Ω以上とした点火装置とを２台づつで比較したもので、表１は３０分以上燃焼させた後、スピード消火させてから、１分後再点火動作させたもので、結果的には、抵抗値０．０４９Ω以下では、自己熱及び点火部の熱でフィラメント３が切れる溶断が起こるもので、抵抗値０．０５０Ω〜０．０８０Ωでは、２台共良好に点火され、抵抗値０．０８１Ω以上では、溶断は起こらないが電圧が低すぎて、点火できないものである。
【表１】
2006138530.tif 000003
【００１１】
又表２は３０分以上燃焼させた後、スピード消火させてから、２分後再点火動作させたもので、この結果は、抵抗値０．０４９Ω以下では、やはり自己熱及び点火部の熱でフィラメント３が切れる溶断や変形が起こるもので、抵抗値０．０５０Ω〜０．０８０Ωでは、すべて良好に点火され、抵抗値０．０８１Ω以上では、溶断は起こらないが電圧が低すぎて、点火できないものである。
【表２】
2006138530.tif 000004
【００１２】
更に表３は３０分以上燃焼させた後、スピード消火させてから、３分後再点火動作させたもので、この結果は、抵抗値０．０４９Ω以下では、自己熱及び点火部の熱でフィラメント３が切れる溶断や変形が多数起こるもので、抵抗値０．０５０Ω〜０．０８０Ωでは、すべて良好に点火され、抵抗値０．０８１Ω以上では、やはり溶断は起こらないが電圧が低すぎて、点火できないものである。
【表３】
2006138530.tif 000005
【００１３】
従って、点火ヒーター１と乾電池７とを結ぶリード線８の抵抗値を、０．０５０Ω〜０．０８０Ωとしたことで、アルカリ電池等の使用でもフィラメント３に作用する電圧は低く抑えられ、このフィラメント３の発熱過ぎを確実に防止して、短期間に切れる不具合を阻止し、乾電池の種類に関係なく点火ヒーター１を保護して、長期に渡って良好な点火が行えるようにしたものである。
【図面の簡単な説明】
【００１４】
【図１】この発明の点火装置の概略説明図。
【図２】同電気回路図。
【符号の説明】
【００１５】
１  点火ヒーター
２  灯心
３  フィラメント
７  乾電池
８  リード線
【図１】
2006138530.tif 000006
【図２】
2006138530.tif 000007